(57)【要約】      （修正有）【課題】帯電安定性の向上及び感光層の結晶化の抑制が可能な電子写真感光体を提供する。【解決手段】電子写真感光体１は、導電性基体２と、感光層３ａとを備える。感光層３ａは、電荷発生剤と正孔輸送剤とバインダー樹脂とを含有する。正孔輸送剤は、特定構造のターフェニルジアミン化合物を含む。バインダー樹脂は、特定構造の繰返し単位を有するポリカーボネート共重合体を含む。【選択図】図１
2020118704.tif 000002
【特許請求の範囲】
【請求項１】
導電性基体と、感光層とを備え、
前記感光層は、電荷発生剤と正孔輸送剤とバインダー樹脂とを少なくとも含有し、
前記正孔輸送剤は、一般式（１）で表される化合物を含み、
前記バインダー樹脂は、一般式（２０）で表される繰返し単位と一般式（２１）で表される繰返し単位とを有するポリカーボネート樹脂を含む、電子写真感光体。
【化１】
2020118704.tif 000025
（前記一般式（１）中、
Ｒ1及びＲ2は、各々独立に、水素原子、メチル基、又はエチル基を表し、且つＲ1が表わす基の炭素原子数とＲ2が表わす基の炭素原子数との和は２であり、
Ｒ3及びＲ4は、各々独立に、水素原子、メチル基、又はエチル基を表し、且つＲ3が表わす基の炭素原子数とＲ4が表わす基の炭素原子数との和は２である。）
【化２】
2020118704.tif 000026
（前記一般式（２０）及び（２１）中、
Ｑ1及びＱ2は水素原子を表し、且つＱ3及びＱ4は各々独立に炭素原子数１以上６以下のアルキル基を表すか、又は、
Ｑ1及びＱ2は各々独立に炭素原子数１以上６以下のアルキル基を表し、且つＱ3及びＱ4は水素原子を表す。）
【請求項２】
前記一般式（１）で表される化合物は、化学式（１−１）、（１−２）、又は（１−３）で表される化合物である、請求項１に記載の電子写真感光体。
【化３】
2020118704.tif 000027
【請求項３】
前記一般式（１）で表される化合物は、前記化学式（１−１）、又は（１−２）で表される化合物である、請求項２に記載の電子写真感光体。
【請求項４】
前記ポリカーボネート樹脂は、
化学式（２０−１）で表される繰返し単位と化学式（２１−１）で表される繰返し単位とを有するポリカーボネート樹脂であるか、或いは
化学式（２０−２）で表される繰返し単位と化学式（２１−２）で表される繰返し単位とを有するポリカーボネート樹脂である、請求項１〜３の何れか一項に記載の電子写真感光体。
【化４】
2020118704.tif 000028
【化５】
2020118704.tif 000029
【請求項５】
前記感光層は、単層である、請求項１〜４の何れか一項に記載の電子写真感光体。
【請求項６】
前記感光層は、単層であり、
前記感光層は、電子輸送剤を更に含有し、
前記電子輸送剤は、一般式（１０）で表される化合物を含む、請求項１〜５の何れか一項に記載の電子写真感光体。
【化６】
2020118704.tif 000030
（前記一般式（１０）中、Ｑ11及びＱ12は、各々独立に、炭素原子数１以上６以下のアルキル基を表す。）
【請求項７】
前記一般式（１０）で表される化合物は、化学式（Ｅ−１）で表される化合物である、請求項６に記載の電子写真感光体。
【化７】
2020118704.tif 000031
【請求項８】
請求項１〜７の何れか一項に記載の電子写真感光体を備える、プロセスカートリッジ。
【請求項９】
像担持体と、
前記像担持体の表面を帯電する帯電装置と、
帯電された前記像担持体の前記表面を露光して、前記像担持体の前記表面に静電潜像を形成する露光装置と、
前記静電潜像をトナー像として現像する現像装置と、
前記トナー像を前記像担持体から被転写体へ転写する転写装置と
を備え、
前記像担持体が、請求項１〜７の何れか一項に記載の電子写真感光体である、画像形成装置。
【請求項１０】
前記被転写体は、記録媒体であり、
前記像担持体の前記表面と前記記録媒体とが接触した状態で、前記転写装置は、前記トナー像を前記像担持体から前記記録媒体へ転写する、請求項９に記載の画像形成装置。
【請求項１１】
前記現像装置は、前記像担持体の前記表面と接触しながら、前記静電潜像を前記トナー像として現像する、請求項９又は１０に記載の画像形成装置。
【請求項１２】
前記帯電装置は、スコロトロン帯電器である、請求項９〜１１の何れか一項に記載の画像形成装置。
【請求項１３】
前記像担持体の前記表面を研磨して、前記像担持体の前記表面に付着しているトナーを回収する、クリーニングローラーを更に備える、請求項９〜１２の何れか一項に記載の画像形成装置。
【発明の詳細な説明】
【技術分野】
【０００１】
本発明は、電子写真感光体、プロセスカートリッジ、及び画像形成装置に関する。
【背景技術】
【０００２】
電子写真感光体は、像担持体として電子写真方式の画像形成装置（例えば、プリンター又は複合機）において用いられる。電子写真感光体は、感光層を備える。電子写真感光体としては、例えば、単層型電子写真感光体及び積層型電子写真感光体が用いられる。単層型電子写真感光体は、電荷発生の機能と、電荷輸送の機能とを有する単層の感光層を備える。積層型電子写真感光体は、電荷発生の機能を有する電荷発生層と、電荷輸送の機能を有する電荷輸送層とを含む感光層を備える。
【０００３】
特許文献１には、特定構造のテルフェニルジアミン電荷輸送成分を含有する少なくとも１つの電荷輸送層を備えた像形成部材が記載されている。テルフェニルジアミン電荷輸送成分は、例えば、化学式（ＩＩ）で表される。
【０００４】
【化１】
2020118704.tif 000003
【先行技術文献】
【特許文献】
【０００５】
【特許文献１】特開２００７−２９３３４２号公報
【発明の概要】
【発明が解決しようとする課題】
【０００６】
しかし、本発明者らの検討により、特許文献１に記載の像形成部材は、帯電安定性の向上及び感光層の結晶化の抑制の点で不十分であることが判明した。
【０００７】
本発明は上述の課題に鑑みてなされたものであり、その目的は、帯電安定性の向上及び感光層の結晶化の抑制が可能な電子写真感光体を提供することである。また、本発明の別の目的は、このような電子写真感光体を備えることで、良好な画像を形成可能なプロセスカートリッジ及び画像形成装置を提供することである。
【課題を解決するための手段】
【０００８】
本発明の電子写真感光体は、導電性基体と、感光層とを備える。前記感光層は、電荷発生剤と正孔輸送剤とバインダー樹脂とを少なくとも含有する。前記正孔輸送剤は、一般式（１）で表される化合物を含む。前記バインダー樹脂は、一般式（２０）で表される繰返し単位と一般式（２１）で表される繰返し単位とを有するポリカーボネート樹脂を含む。
【０００９】
【化２】
2020118704.tif 000004
【００１０】
前記一般式（１）中、Ｒ1及びＲ2は、各々独立に、水素原子、メチル基、又はエチル基を表し、且つＲ1が表わす基の炭素原子数とＲ2が表わす基の炭素原子数との和は２である。Ｒ3及びＲ4は、各々独立に、水素原子、メチル基、又はエチル基を表し、且つＲ3が表わす基の炭素原子数とＲ4が表わす基の炭素原子数との和は２である。
【００１１】
【化３】
2020118704.tif 000005
【００１２】
前記一般式（２０）及び（２１）中、Ｑ1及びＱ2は水素原子を表し、且つＱ3及びＱ4は各々独立に炭素原子数１以上６以下のアルキル基を表す。又は、Ｑ1及びＱ2は各々独立に炭素原子数１以上６以下のアルキル基を表し、且つＱ3及びＱ4は水素原子を表す。
【００１３】
本発明のプロセスカートリッジは、上述した電子写真感光体を備える。
【００１４】
本発明の画像形成装置は、像担持体と、帯電装置と、露光装置と、現像装置と、転写装置とを備える。前記帯電装置は、前記像担持体の表面を帯電させる。前記露光装置は、帯電された前記像担持体の前記表面を露光して、前記像担持体の前記表面に静電潜像を形成する。前記現像装置は、前記静電潜像をトナー像として現像する。前記転写装置は、前記トナー像を前記像担持体から記録媒体へ転写する。前記像担持体が、上述した電子写真感光体である。
【発明の効果】
【００１５】
本発明の電子写真感光体によれば、帯電安定性の向上及び感光層の結晶化の抑制が可能となる。また、このような電子写真感光体を備える本発明のプロセスカートリッジ及び画像形成装置によれば、良好な画像を形成することができる。
【図面の簡単な説明】
【００１６】
【図１】本発明の実施形態に係る電子写真感光体の一例である単層型電子写真感光体の部分断面図である。
【図２】本発明の実施形態に係る電子写真感光体の一例である単層型電子写真感光体の部分断面図である。
【図３】本発明の実施形態に係る電子写真感光体の一例である単層型電子写真感光体の部分断面図である。
【図４】本発明の実施形態に係る電子写真感光体の一例である積層型電子写真感光体の部分断面図である。
【図５】本発明の実施形態に係る電子写真感光体の一例である積層型電子写真感光体の部分断面図である。
【図６】本発明の実施形態に係る電子写真感光体の一例である積層型電子写真感光体の部分断面図である。
【図７】画像形成装置の一例を示す断面図である。
【発明を実施するための形態】
【００１７】
以下、本発明の実施形態について詳細に説明する。ただし、本発明は、以下の実施形態に何ら限定されない。本発明は、本発明の目的の範囲内で、適宜変更を加えて実施できる。なお、説明が重複する箇所については、適宜説明を省略する場合があるが、発明の要旨は限定されない。以下、化合物名の後に「系」を付けて、化合物及びその誘導体を包括的に総称する場合がある。また、化合物名の後に「系」を付けて重合体名を表す場合には、重合体の繰返し単位が化合物又はその誘導体に由来することを意味する。
【００１８】
まず、本明細書で用いられる置換基について説明する。ハロゲン原子（ハロゲン基）としては、例えば、フッ素原子（フルオロ基）、塩素原子（クロロ基）、臭素原子（ブロモ基）、及びヨウ素原子（ヨード基）が挙げられる。
【００１９】
炭素原子数１以上６以下のアルキル基、及び炭素原子数１以上３以下のアルキル基は、各々、直鎖状又は分枝鎖状で非置換である。炭素原子数１以上６以下のアルキル基としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基、イソペンチル基、ネオペンチル基、１，１−ジメチルプロピル基、１，２−ジメチルプロピル基、１−エチル−１−メチルプロピル基、並びに直鎖状及び分枝鎖状のヘキシル基が挙げられる。炭素原子数１以上３以下のアルキル基の例は、炭素原子数１以上６以下のアルキル基の例として述べた基のうち、炭素原子数が１以上３以下である基である。以上、本明細書で用いられる置換基について説明した。
【００２０】
＜電子写真感光体＞
本実施形態は、電子写真感光体（以下、感光体と記載することがある）に関する。本実施形態の感光体は、導電性基体と、感光層とを備える。感光層は、電荷発生剤と、正孔輸送剤と、バインダー樹脂とを少なくとも含有する。感光体は、例えば、単層型電子写真感光体（以下、単層型感光体と記載することがある）、又は積層型電子写真感光体（以下、積層型感光体と記載することがある）である。
【００２１】
（単層型感光体）
以下、図１〜図３を参照して、感光体の一例である単層型感光体１について説明する。図１〜図３は、各々、単層型感光体１の部分断面図を示す。
【００２２】
図１に示すように、単層型感光体１は、例えば、導電性基体２と、感光層３とを備える。単層型感光体１に備えられる感光層３は、単層である。以下、「単層の感光層３」を、「単層型感光層３ａ」と記載することがある。
【００２３】
図２に示すように、単層型感光体１は、導電性基体２と、単層型感光層３ａと、中間層４（下引き層）とを備えてもよい。中間層４は、導電性基体２と単層型感光層３ａとの間に設けられる。図１に示すように、単層型感光層３ａは導電性基体２上に直接備えられてもよい。或いは、図２に示すように、単層型感光層３ａは導電性基体２上に中間層４を介して備えられてもよい。
【００２４】
図３に示すように、単層型感光体１は、導電性基体２と、単層型感光層３ａと、保護層５とを備えてもよい。保護層５は、単層型感光層３ａ上に設けられる。図１及び図２に示すように、単層型感光層３ａが、単層型感光体１の最表面層として備えられてもよい。或いは、図３に示すように、保護層５が、単層型感光体１の最表面層として備えられてもよい。
【００２５】
単層型感光層３ａは、電荷発生剤と正孔輸送剤とバインダー樹脂とを含有する。単層型感光層３ａは、電子輸送剤を更に含有してもよい。単層型感光層３ａは、必要に応じて、添加剤を含有してもよい。
【００２６】
単層型感光層３ａの厚さは、特に限定されないが、５μｍ以上１００μｍ以下であることが好ましく、１０μｍ以上５０μｍ以下であることがより好ましい。以上、図１〜図３を参照して、単層型感光体１について説明した。
【００２７】
（積層型感光体）
次に、図４〜図６を参照して、感光体の一例である積層型感光体１０について説明する。図４〜図６は、各々、積層型感光体１０の部分断面図を示す。
【００２８】
図４に示すように、積層型感光体１０は、例えば、導電性基体２と、感光層３とを備える。感光層３は、電荷発生層３ｂと、電荷輸送層３ｃとを含む。つまり、積層型感光体１０は、感光層３として、電荷発生層３ｂと電荷輸送層３ｃとを備えている。電荷発生層３ｂは、例えば、一層である。電荷輸送層３ｃは、例えば、一層である。
【００２９】
図４に示すように、積層型感光体１０において、導電性基体２上に電荷発生層３ｂが設けられ、電荷発生層３ｂ上に電荷輸送層３ｃが設けられてもよい。或いは、図５に示すように、積層型感光体１０において、導電性基体２上に電荷輸送層３ｃが設けられ、電荷輸送層３ｃ上に電荷発生層３ｂが設けられてもよい。
【００３０】
図６に示すように、積層型感光体１０は、導電性基体２と、感光層３と、中間層４（下引き層）とを備えてもよい。中間層４は、導電性基体２と感光層３との間に設けられる。図４及び図５に示すように、積層型感光体１０において、感光層３は導電性基体２上に直接備えられてもよい。或いは、図６に示すように、積層型感光体１０において、感光層３は導電性基体２上に中間層４を介して備えられてもよい。積層型感光体１０が中間層４を備える場合、図６に示すように、導電性基体２上に中間層４が設けられ、中間層４上に電荷発生層３ｂが設けられ、電荷発生層３ｂ上に電荷輸送層３ｃが設けられてもよい。或いは、導電性基体２上に中間層４が設けられ、中間層４上に電荷輸送層３ｃが設けられ、電荷輸送層３ｃ上に電荷発生層３ｂが設けられてもよい。
【００３１】
積層型感光体１０は、導電性基体２と、感光層３と、保護層５（図３参照）とを備えてもよい。保護層５は、感光層３上に設けられる。感光層３（例えば、電荷輸送層３ｃ又は電荷発生層３ｂ）が、積層型感光体１０の最表面層として備えられてもよい。或いは、保護層５が、積層型感光体１０の最表面層として備えられてもよい。
【００３２】
電荷発生層３ｂは、電荷発生剤を含有する。電荷発生層３ｂは、電荷発生層用バインダー樹脂（以下、ベース樹脂と記載することがある）を含有してもよい。電荷発生層３ｂは、必要に応じて、添加剤を含有してもよい。電荷輸送層３ｃは、正孔輸送剤とバインダー樹脂とを含有する。電荷輸送層３ｃは、必要に応じて、添加剤を含有してもよい。
【００３３】
電荷発生層３ｂの厚さは、特に限定されないが、０．０１μｍ以上５μｍ以下であることが好ましく、０．１μｍ以上３μｍ以下であることがより好ましい。電荷輸送層３ｃの厚さは、特に限定されないが、２μｍ以上１００μｍ以下であることが好ましく、５μｍ以上５０μｍ以下であることがより好ましい。以上、図４〜図６を参照して、積層型感光体１０について説明した。以下、感光体について更に説明する。
【００３４】
（電荷発生剤）
電荷発生剤としては、例えば、フタロシアニン系顔料、ペリレン系顔料、ビスアゾ顔料、トリスアゾ顔料、ジチオケトピロロピロール顔料、無金属ナフタロシアニン顔料、金属ナフタロシアニン顔料、スクアライン顔料、インジゴ顔料、アズレニウム顔料、シアニン顔料、無機光導電材料（例えば、セレン、セレン−テルル、セレン−ヒ素、硫化カドミウム又はアモルファスシリコン）の粉末、ピリリウム顔料、アンサンスロン系顔料、トリフェニルメタン系顔料、スレン系顔料、トルイジン系顔料、ピラゾリン系顔料、及びキナクリドン系顔料が挙げられる。感光層（具体的には、電荷発生層又は単層型感光層）は、電荷発生剤の１種のみを含有してもよく、２種以上を含有してもよい。
【００３５】
フタロシアニン系顔料としては、例えば、無金属フタロシアニン、及び金属フタロシアニンが挙げられる。金属フタロシアニンとしては、例えば、チタニルフタロシアニン、ヒドロキシガリウムフタロシアニン、及びクロロガリウムフタロシアニンが挙げられる。無金属フタロシアニンは、化学式（ＣＧＭ−１）で表される。チタニルフタロシアニンは、化学式（ＣＧＭ−２）で表される。
【００３６】
【化４】
2020118704.tif 000006
【００３７】
【化５】
2020118704.tif 000007
【００３８】
フタロシアニン系顔料は、結晶であってもよく、非結晶であってもよい。無金属フタロシアニンの結晶としては、例えば、無金属フタロシアニンのＸ型結晶（以下、Ｘ型無金属フタロシアニンと記載することがある）が挙げられる。チタニルフタロシアニンの結晶としては、例えば、チタニルフタロシアニンのα型、β型、及びＹ型結晶（以下、それぞれをα型、β型、及びＹ型チタニルフタロシアニンと記載することがある）が挙げられる。
【００３９】
例えば、デジタル光学式の画像形成装置（例えば、半導体レーザーのような光源を使用した、レーザービームプリンター又はファクシミリ）には、７００ｎｍ以上の波長領域に感度を有する感光体を用いることが好ましい。７００ｎｍ以上の波長領域で高い量子収率を有することから、電荷発生剤としては、フタロシアニン系顔料が好ましく、無金属フタロシアニン又はチタニルフタロシアニンがより好ましく、Ｘ型無金属フタロシアニン又はＹ型チタニルフタロシアニンが更に好ましく、Ｙ型チタニルフタロシアニンが特に好ましい。
【００４０】
Ｙ型チタニルフタロシアニンは、ＣｕＫα特性Ｘ線回折スペクトルにおいて、例えば、ブラッグ角（２θ±０．２°）の２７．２°に主ピークを有する。ＣｕＫα特性Ｘ線回折スペクトルにおける主ピークとは、ブラッグ角（２θ±０．２°）が３°以上４０°以下である範囲において、１番目又は２番目に大きな強度を有するピークである。Ｙ型チタニルフタロシアニンは、ＣｕＫα特性Ｘ線回折スペクトルにおいて、２６．２℃にピークを有していない。
【００４１】
ＣｕＫα特性Ｘ線回折スペクトルは、例えば、次の方法によって測定できる。まず、試料（チタニルフタロシアニン）をＸ線回折装置（例えば、株式会社リガク製「ＲＩＮＴ（登録商標）１１００」）のサンプルホルダーに充填して、Ｘ線管球Ｃｕ、管電圧４０ｋＶ、管電流３０ｍＡ、かつＣｕＫα特性Ｘ線の波長１．５４２Åの条件で、Ｘ線回折スペクトルを測定する。測定範囲（２θ）は、例えば３°以上４０°以下（スタート角３°、ストップ角４０°）であり、走査速度は、例えば１０°／分である。得られたＸ線回折スペクトルから主ピークを決定し、主ピークのブラッグ角を読み取る。
【００４２】
感光体が単層型感光体である場合、電荷発生剤の含有量は、バインダー樹脂１００質量部に対して、０．１質量部以上５０質量部以下であることが好ましく、０．５質量部以上４．５質量部以下であることがより好ましい。感光体が積層型感光体である場合、電荷発生剤の含有量は、ベース樹脂１００質量部に対して、１０質量部以上３００質量部以下であることが好ましく、１００質量部以上２００質量部以下であることがより好ましい。
【００４３】
（正孔輸送剤）
正孔輸送剤は、下記一般式（１）で表される化合物（以下、化合物（１）と記載することがある）を含む。感光層（単層型感光層又は電荷輸送層）は、正孔輸送剤として、化合物（１）を含有する。
【００４４】
【化６】
2020118704.tif 000008
【００４５】
一般式（１）中、Ｒ1及びＲ2は、各々独立に、水素原子、メチル基、又はエチル基を表し、且つＲ1が表わす基の炭素原子数とＲ2が表わす基の炭素原子数との和は２である。Ｒ3及びＲ4は、各々独立に、水素原子、メチル基、又はエチル基を表し、且つＲ3が表わす基の炭素原子数とＲ4が表わす基の炭素原子数との和は２である。
【００４６】
以下、「Ｒ1及びＲ2は、各々独立に、水素原子、メチル基、又はエチル基を表し、且つＲ1が表わす基の炭素原子数とＲ2が表わす基の炭素原子数との和は２であり、Ｒ3及びＲ4は、各々独立に、水素原子、メチル基、又はエチル基を表し、且つＲ3が表わす基の炭素原子数とＲ4が表わす基の炭素原子数との和は２である」ことを、「所定置換基である」と記載することがある。また、「Ｒ1がフェニル基のパラ位に、Ｒ2がフェニル基のオルト位に、Ｒ3がフェニル基のパラ位に、Ｒ4がフェニル基のオルト位に位置する」ことを「所定位置に位置する」と記載することがある。
【００４７】
感光層が、正孔輸送剤として化合物（１）を含有することにより、感光体の帯電安定性を向上させ、感光層の結晶化を抑制できる。その理由は、以下のように推測される。なお、帯電安定性は、記録媒体に画像を繰り返し形成した場合であっても、所定範囲の帯電電位に、感光体を帯電できる特性である。説明の便宜上、下記一般式（１）中にＡ及びＢを示し、Ａ及びＢによって示されるフェニル基を、各々、フェニル基Ａ及びＢと記載する。
【００４８】
【化７】
2020118704.tif 000009
【００４９】
第１の理由を説明する。一般式（１）中のＲ1〜Ｒ4は所定置換基であり、かさ高い置換基ではない。Ｒ1〜Ｒ4で表されるかさ高くない置換基が、感光層の微小な空隙を埋める傾向がある。また、Ｒ1〜Ｒ4が所定位置に位置することにより、感光層の微小な空隙を埋め易くなる。このため、Ｒ1〜Ｒ4が所定置換基でありＲ1〜Ｒ4が所定位置に位置することにより、記録媒体に画像を繰り返し形成する際に、感光体の外部から感光体の品質低下を招く成分（例えば、ガス等）が、感光層内に侵入することを防ぐことができる。これにより、感光体の帯電安定性が向上する。
【００５０】
第２の理由を説明する。一般式（１）中のＲ1〜Ｒ4は、所定置換基であり、Ｒ1〜Ｒ4は所定位置に位置する。一般式（１）中のＲ1〜Ｒ4が所定置換基ではない場合（例えば、メトキシ基、又はブチル基である場合）、及びＲ1〜Ｒ4が所定位置に位置しない場合には、正孔輸送剤の正孔輸送能が低下し、帯電安定性が低下する。一般式（１）中のＲ1〜Ｒ4が所定置換基でありＲ1〜Ｒ4が所定位置に位置することで、化合物（１）の正孔輸送能が向上し、感光体の帯電安定性が向上する。
【００５１】
第３の理由を説明する。一般的に、ターフェニル構造を有する化合物は、感光層の結晶化を引き起こし易い。本発明者らは鋭意検討し、一般式（１）中のＲ1〜Ｒ4が所定置換基でありＲ1〜Ｒ4が所定位置に位置し、且つフェニル基Ａ及びＢがパラ位にメチル基を有することで、感光層の結晶化を抑制できることを見出した。所定位置に位置する所定置換基、並びにフェニル基Ａ及びＢがパラ位に有するメチル基によって、感光層に含有される他の分子と、化合物（１）との間に、分子間力が強くなり過ぎない程度の適度な距離が設けられる。このため、感光層の結晶化を抑制できる。
【００５２】
第４の理由を説明する。既に述べたように、一般式（１）中のＲ1〜Ｒ4は所定置換基であり、かさ高い置換基ではない。かさ高い置換基（例えば、フェニルブタジエニル基、又はブチル基）を有する化合物は、感光層の結晶化を引き起こす傾向がある。また、Ｒ1〜Ｒ4は、所定位置に位置する。Ｒ1〜Ｒ4がかさ高くない所定置換基でありＲ1〜Ｒ4が所定位置に位置することで、感光層の結晶化を抑制できる。以上、感光体の帯電安定性を向上させ、感光層の結晶化を抑制できる理由について説明した。
【００５３】
化合物（１）の好適な例としては、化学式（１−１）、（１−２）、及び（１−３）で表される化合物（以下、それぞれを化合物（１−１）、（１−２）、及び（１−３）と記載することがある）が挙げられる。感光層の結晶化を特に抑制するためには、化合物（１）としては、化合物（１−１）及び（１−２）が、より好ましい。
【００５４】
【化８】
2020118704.tif 000010
【００５５】
正孔輸送剤の含有量は、バインダー樹脂１００質量部に対して、１０質量部以上であることが好ましく、５０質量部以上であることがより好ましく、６５質量部以上であることが更に好ましい。正孔輸送剤の含有量は、バインダー樹脂１００質量部に対して、３００質量部以下であることが好ましく、１００質量部以下であることがより好ましく、７５質量部以下であることが更に好ましい。
【００５６】
感光層は、正孔輸送剤として、化合物（１）の１種のみを含有してもよい。或いは、感光層は、正孔輸送剤として、化合物（１）の２種以上を含有してもよい。また、感光層は、正孔輸送剤として、化合物（１）のみを含有してもよい。或いは、感光層は、正孔輸送剤として、化合物（１）に加えて、化合物（１）以外の正孔輸送剤（以下、その他の正孔輸送剤と記載することがある）を更に含有してもよい。
【００５７】
その他の正孔輸送剤としては、例えば、オキサジアゾール系化合物（例えば、２，５−ジ（４−メチルアミノフェニル）−１，３，４−オキサジアゾール）、スチリル化合物（例えば、９−（４−ジエチルアミノスチリル）アントラセン）、カルバゾール化合物（例えば、ポリビニルカルバゾール）、有機ポリシラン化合物、ピラゾリン系化合物（例えば、１−フェニル−３−（ｐ−ジメチルアミノフェニル）ピラゾリン）、ヒドラゾン化合物、インドール系化合物、オキサゾール系化合物、イソオキサゾール系化合物、チアゾール系化合物、チアジアゾール系化合物、イミダゾール系化合物、ピラゾール系化合物、及びトリアゾール系化合物が挙げられる。
【００５８】
化合物（１）は、例えば、下記反応式（ｒ１）で表される反応（以下、反応（ｒ１）と記載することがある）に従って、製造することができる。反応式（ｒ１）で示される一般式（ａ）中のＹは、ハロゲン原子を表す。一般式（ｂ）及び（ｃ）中のＲ1、Ｒ2、Ｒ3、及びＲ4は、各々、一般式（１）中のＲ1、Ｒ2、Ｒ3、及びＲ4と同義である。一般式（ａ）、（ｂ）、及び（ｃ）で表される化合物の各々を、化合物（ａ）、（ｂ）、及び（ｃ）と記載することがある。
【００５９】
【化９】
2020118704.tif 000011
【００６０】
反応（ｒ１）では、１モル当量の化合物（ａ）と、１モル当量の化合物（ｂ）と、１モル当量の化合物（ｃ）とを反応させて、１モル当量の化合物（１）を得る。一般式（１）中のＲ1とＲ3とが互いに同じであり、Ｒ2とＲ4とが互いに同じである場合には、１モル当量の化合物（ｂ）及び１モル当量の化合物（ｃ）の代わりに、２モル当量の化合物（ｂ）を使用する。
【００６１】
反応（ｒ１）は、パラジウム触媒の存在下で行われてもよい。パラジウム触媒としては、例えば、酢酸パラジウム（ＩＩ）、塩化パラジウム（ＩＩ）、ヘキサクロルパラジウム（ＩＶ）酸ナトリウム四水和物、及びトリス（ジベンジリデンアセトン）ジパラジウム（０）が挙げられる。
【００６２】
反応（ｒ１）は、配位子の存在下で行われてもよい。配位子としては、例えば、（４−ジメチルアミノフェニル）ジ−ｔｅｒｔブチルホスフィン、トリシクロヘキシルホスフィン、トリフェニルホスフィン、及びメチルジフェニルホスフィンが挙げられる。
【００６３】
反応（ｒ１）は、塩基の存在下で行われてもよい。塩基としては、例えば、ナトリウムｔｅｒｔ−ブトキシド、リン酸三カリウム、及びフッ化セシウムが挙げられる。塩基の添加量は、１モル当量の化合物（ｂ）に対して、１モル当量以上１０モル当量以下であることが好ましい。
【００６４】
反応（ｒ１）は、溶媒中で行われてもよい。溶媒としては、例えば、キシレン、トルエン、テトラヒドロフラン、及びジメチルホルムアミドが挙げられる。
【００６５】
反応（ｒ１）の反応温度は８０℃以上１４０℃以下であることが好ましい。反応（ｒ１）の反応時間は１時間以上１０時間以下であることが好ましい。反応（ｒ１）は、不活性ガス（例えば、アルゴンガス）の雰囲気下で行われてもよい。
【００６６】
（バインダー樹脂）
バインダー樹脂は、一般式（２０）で表される繰返し単位と一般式（２１）で表される繰返し単位とを有するポリカーボネート樹脂を含む。感光層（単層型感光層又は電荷輸送層）は、バインダー樹脂として、一般式（２０）で表される繰返し単位と一般式（２１）で表される繰返し単位とを有するポリカーボネート樹脂を含有する。
【００６７】
【化１０】
2020118704.tif 000012
【００６８】
一般式（２０）及び（２１）中、Ｑ1及びＱ2は水素原子を表し、且つＱ3及びＱ4は各々独立に炭素原子数１以上６以下のアルキル基を表す。或いは、Ｑ1及びＱ2は各々独立に炭素原子数１以上６以下のアルキル基を表し、且つＱ3及びＱ4は水素原子を表す。
【００６９】
以下、「一般式（２０）で表される繰返し単位と一般式（２１）で表される繰返し単位とを有するポリカーボネート樹脂」を、「ポリカーボネート樹脂（ＰＣ）」と記載することがある。また、「一般式（２０）で表される繰返し単位」を「繰り返し単位（２０）」と、「一般式（２１）で表される繰返し単位」を「繰り返し単位（２１）」と記載することがある。
【００７０】
感光層が、バインダー樹脂としてポリカーボネート樹脂（ＰＣ）を含有することにより、感光体の帯電安定性を向上させ、感光層の結晶化を抑制できる。その理由は、以下のように推測される。
【００７１】
一般式（２０）及び（２１）中のＱ1〜Ｑ4が表わす炭素原子数１以上６以下のアルキル基は、感光層の微小な空隙を埋める傾向がある。このため、記録媒体に画像を繰り返し形成する際に、感光体の外部から感光体の品質低下を招く成分（例えば、ガス等）が、感光層内に侵入することを防ぐことができる。これにより、感光体の帯電安定性が向上する。しかし、ポリカーボネート樹脂が有する炭素原子数１以上６以下のアルキル基の数が多過ぎると、感光層の結晶化が引き起こされる。そこで、一般式（２０）及び（２１）中、Ｑ1及びＱ2は水素原子を表し、且つＱ3及びＱ4は各々独立に炭素原子数１以上６以下のアルキル基を表すか、或いは、Ｑ1及びＱ2は各々独立に炭素原子数１以上６以下のアルキル基を表し、且つＱ3及びＱ4は水素原子を表すことにより、ポリカーボネート樹脂が有する炭素原子数１以上６以下のアルキル基の数を適量に調整する。このようにして、感光体の帯電安定性の向上と、感光層の結晶化の抑制とが両立できる。特に、感光層が、ポリカーボネート樹脂（ＰＣ）と正孔輸送剤である化合物（１）との両方を含有することにより、これらの利点は顕著となる。
【００７２】
一般式（２０）及び（２１）中、Ｑ1、Ｑ2、Ｑ3及びＱ4が表わす炭素原子数１以上６以下のアルキル基としては、炭素原子数１以上３以下のアルキル基が好ましく、メチル基がより好ましい。
【００７３】
帯電安定性を向上させ、感光層の結晶化を抑制するために、繰返し単位（２０）及び（２１）の総数に対する、繰返し単位（２０）の数の比率は、３０％以上９０％以下であることが好ましく、４０％以上８０％以下であることがより好ましく、５０％以上７０％以下であることが更に好ましく、５５％以上６５％以下であることが特に好ましい。以下、「繰返し単位（２０）及び（２１）の総数に対する、繰返し単位（２０）の数の比率」を、「比率ｎ」と記載することがある。比率ｎは、１本の樹脂鎖から得られる値ではなく、ポリカーボネート樹脂（ＰＣ）の全体（複数本の樹脂鎖）から得られる数平均値である。
【００７４】
帯電安定性を向上させ、感光層の結晶化を抑制するために、ポリカーボネート樹脂（ＰＣ）としては、化学式（２０−１）で表される繰返し単位と化学式（２１−１）で表される繰返し単位とを有するポリカーボネート樹脂が好ましい。以下、「化学式（２０−１）で表される繰返し単位」を「繰り返し単位（２０−１）」と、「化学式（２１−１）で表される繰返し単位」を「繰り返し単位（２１−１）」と記載することがある。また、「繰り返し単位（２０−１）と繰り返し単位（２１−１）とを有するポリカーボネート樹脂」を、「第１ポリカーボネート樹脂」と記載することがある。
【００７５】
【化１１】
2020118704.tif 000013
【００７６】
帯電安定性を向上させ、感光層の結晶化を抑制するために、ポリカーボネート樹脂（ＰＣ）としては、化学式（２０−２）で表される繰返し単位と化学式（２１−２）で表される繰返し単位とを有するポリカーボネート樹脂も好ましい。以下、「化学式（２０−２）で表される繰返し単位」を「繰り返し単位（２０−２）」と、「化学式（２１−２）で表される繰返し単位」を「繰り返し単位（２１−２）」と記載することがある。また、「繰り返し単位（２０−２）と繰り返し単位（２１−２）とを有するポリカーボネート樹脂」を、「第２ポリカーボネート樹脂」と記載することがある。
【００７７】
【化１２】
2020118704.tif 000014
【００７８】
第１ポリカーボネート樹脂の好適な例としては、下記化学式（Ｒ−１）で表されるポリカーボネート樹脂（以下、ポリカーボネート樹脂（Ｒ−１）と記載することがある）が挙げられる。第２ポリカーボネート樹脂の好適な例としては、下記化学式（Ｒ−２）で表されるポリカーボネート樹脂（以下、ポリカーボネート樹脂（Ｒ−２）と記載することがある）が挙げられる。化学式（Ｒ−１）及び（Ｒ−２）において、繰り返し単位の右下に付された数字は、ポリカーボネート樹脂が有する繰り返し単位の総数に対する、該当する繰り返し単位の数の比率（単位：％）を示す。
【００７９】
【化１３】
2020118704.tif 000015
【００８０】
ポリカーボネート樹脂（ＰＣ）における、繰返し単位（２０）及び（２１）の配列は、特に限定されない。つまり、ポリカーボネート樹脂（ＰＣ）は、ランダム共重合体、交互共重合体、周期的共重合体、及びブロック共重合体の何れであってもよい。
【００８１】
ポリカーボネート樹脂（ＰＣ）は、繰り返し単位として、繰返し単位（２０）及び（２１）のみを有していてもよい。或いは、ポリカーボネート樹脂（ＰＣ）は、繰り返し単位として、繰返し単位（２０）及び（２１）に加えて、これら以外の繰返し単位を更に有していてもよい。
【００８２】
ポリカーボネート樹脂の製造方法としては、例えば、ジオール化合物とホスゲンとを界面縮重合させる方法（いわゆるホスゲン法）、及びジオール化合物とジフェニルカーボネートとをエステル交換反応させる方法が挙げられる。ホスゲン法に使用されるジオール化合物の具体例としては、下記一般式（２０Ａ）及び（２１Ａ）で表される化合物が挙げられる。一般式（２０Ａ）及び（２１Ａ）中のＱ1、Ｑ2、Ｑ3、及びＱ4は、各々、一般式（２０）及び（２１）中のＱ1、Ｑ2、Ｑ3、及びＱ4と同義である。一般式（２１Ａ）で表される化合物の添加量に対する一般式（２０Ａ）で表される化合物の添加量を変更することにより、比率ｎが変更できる。
【００８３】
【化１４】
2020118704.tif 000016
【００８４】
感光層は、バインダー樹脂として、ポリカーボネート樹脂（ＰＣ）のみを含有してもよい。或いは、感光層は、バインダー樹脂として、ポリカーボネート樹脂（ＰＣ）に加えて、それ以外のバインダー樹脂（以下、その他のバインダー樹脂と記載することがある）を更に含有してもよい。その他のバインダー樹脂としては、例えば、熱可塑性樹脂（より具体的には、ポリカーボネート樹脂（ＰＣ）以外のポリカーボネート樹脂、ポリアリレート樹脂、スチレン系樹脂、スチレン−ブタジエン共重合体、スチレン−アクリロニトリル共重合体、スチレン−マレイン酸共重合体、スチレン−アクリル酸共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、ポリエステル樹脂、アルキド樹脂、ポリアミド樹脂、ポリウレタン樹脂、ポリスルホン樹脂、ジアリルフタレート樹脂、ケトン樹脂、ポリビニルブチラール樹脂、及びポリエーテル樹脂）、熱硬化性樹脂（より具体的には、シリコーン樹脂、エポキシ樹脂、フェノール樹脂、尿素樹脂、メラミン樹脂、及びこれら以外の架橋性熱硬化性樹脂）、及び光硬化性樹脂（より具体的には、エポキシ−アクリル酸系樹脂、及びウレタン−アクリル酸系共重合体）が挙げられる。
【００８５】
バインダー樹脂の粘度平均分子量は、２０，０００以上であることが好ましく、２５，０００以上であることがより好ましく、３０，０００以上であることが更に好ましい。また、バインダー樹脂の粘度平均分子量は、７０，０００以下であることが好ましく、５０，０００以下であることがより好ましく、４０，０００以下であることが更に好ましい。バインダー樹脂の粘度平均分子量が２０，０００以上であると、感光層が摩耗し難くなる。一方、バインダー樹脂の粘度平均分子量が７０，０００以下であると、バインダー樹脂が溶剤に溶解し易くなり、感光層の形成が容易となる。
【００８６】
（ベース樹脂）
感光体が積層型感光体である場合、電荷発生層は、ベース樹脂を含有する。ベース樹脂の例としては、熱可塑性樹脂（より具体的には、ポリカーボネート樹脂、ポリアリレート樹脂、スチレン系樹脂、スチレン−ブタジエン共重合体、スチレン−アクリロニトリル共重合体、スチレン−マレイン酸共重合体、スチレン−アクリル酸共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、ポリエステル樹脂、アルキド樹脂、ポリアミド樹脂、ポリウレタン樹脂、ポリスルホン樹脂、ジアリルフタレート樹脂、ケトン樹脂、ポリビニルブチラール樹脂、及びポリエーテル樹脂）、熱硬化性樹脂（より具体的には、シリコーン樹脂、エポキシ樹脂、フェノール樹脂、尿素樹脂、メラミン樹脂、及びこれら以外の架橋性熱硬化性樹脂）、及び光硬化性樹脂（より具体的には、エポキシ−アクリル酸系樹脂、及びウレタン−アクリル酸系共重合体）が挙げられる。電荷発生層は、これらのベース樹脂の１種のみを含有してもよく、２種以上を含有してもよい。電荷発生層及び電荷輸送層を良好に形成するためには、電荷発生層に含有されるベース樹脂は、電荷輸送層に含有されるバインダー樹脂と異なることが好ましい。
【００８７】
（電子輸送剤）
感光体が単層型感光体である場合、単層型感光層は、電子輸送剤を含有する。電子輸送剤としては、例えば、キノン系化合物、ジイミド系化合物、ヒドラゾン系化合物、マロノニトリル系化合物、チオピラン系化合物、トリニトロチオキサントン系化合物、３，４，５，７−テトラニトロ−９−フルオレノン系化合物、ジニトロアントラセン系化合物、ジニトロアクリジン系化合物、テトラシアノエチレン、２，４，８−トリニトロチオキサントン、ジニトロベンゼン、ジニトロアクリジン、無水コハク酸、無水マレイン酸、及びジブロモ無水マレイン酸が挙げられる。キノン系化合物としては、例えば、ジフェノキノン系化合物、アゾキノン系化合物、アントラキノン系化合物、ナフトキノン系化合物、ニトロアントラキノン系化合物、及びジニトロアントラキノン系化合物が挙げられる。単層型感光層は、１種の電子輸送剤のみを含有してもよく、２種以上の電子輸送剤を含有してもよい。
【００８８】
電子輸送剤の好適な例としては、一般式（１０）で表される化合物（以下、化合物（１０）と記載することがある）が挙げられる。電子輸送剤が化合物（１０）である場合、正孔輸送剤である化合物（１）と好適に錯体を形成する傾向がある。そして、形成された錯体が溶剤に良好に溶解し、均一な単層型感光層が形成される。このため、単層型感光層の結晶化が更に抑制できる。
【００８９】
【化１５】
2020118704.tif 000017
【００９０】
一般式（１０）中、Ｑ11及びＱ12は、各々独立に、炭素原子数１以上６以下のアルキル基を表す。一般式（１０）中のＱ11及びＱ12が表わす炭素原子数１以上６以下のアルキル基としては、１，１−ジメチルプロピル基が好ましい。
【００９１】
化合物（１０）の好適な例としては、化学式（Ｅ−１）で表される化合物（以下、化合物（Ｅ−１）と記載することがある）が挙げられる。
【００９２】
【化１６】
2020118704.tif 000018
【００９３】
電子輸送剤の含有量は、バインダー樹脂１００質量部に対して、５質量部以上１５０質量部以下であることが好ましく、１０質量部以上５０質量部以下であることが好ましく、２０質量部以上４０質量部以下であることがより好ましい。
【００９４】
（添加剤）
添加剤としては、例えば、酸化防止剤、ラジカル捕捉剤、１重項消光剤、紫外線吸収剤、軟化剤、表面改質剤、増量剤、増粘剤、分散安定剤、ワックス、ドナー、界面活性剤、可塑剤、増感剤、電子アクセプター化合物、及びレベリング剤が挙げられる。
【００９５】
（材料の組み合わせ）
帯電安定性を向上させつつ、感光層の結晶化を抑制するためには、正孔輸送剤及びバインダー樹脂の組み合わせが、表１に示す組み合わせ例Ｎｏ．１〜１２の何れかであることが好ましい。同じ理由から、正孔輸送剤及びバインダー樹脂の組み合わせが、表１に示す組み合わせ例Ｎｏ．１〜１２の何れかであり、電子輸送剤が化合物（Ｅ−１）であることが好ましい。同じ理由から、正孔輸送剤及びバインダー樹脂の組み合わせが、表１に示す組み合わせ例Ｎｏ．１〜１２の何れかであり、電荷発生剤がＹ型チタニルフタロシアニンであることが好ましい。同じ理由から、正孔輸送剤及びバインダー樹脂の組み合わせが、表１に示す組み合わせ例Ｎｏ．１〜１２の何れかであり、電子輸送剤が化合物（Ｅ−１）であり、電荷発生剤がＹ型チタニルフタロシアニンであることが好ましい。
【００９６】
【表１】
2020118704.tif 000019
【００９７】
（導電性基体）
導電性基体は、感光体の導電性基体として用いることができる限り、特に限定されない。導電性基体は、少なくとも表面部が導電性を有する材料で構成されていればよい。導電性基体の一例としては、導電性を有する材料で構成される導電性基体が挙げられる。導電性基体の別の例としては、導電性を有する材料で被覆される導電性基体が挙げられる。導電性を有する材料としては、例えば、アルミニウム、鉄、銅、錫、白金、銀、バナジウム、モリブデン、クロム、カドミウム、チタン、ニッケル、パラジウム、インジウム、ステンレス鋼、及び真鍮が挙げられる。これらの導電性を有する材料を単独で用いてもよいし、２種以上を組み合わせて（例えば、合金として）用いてもよい。これらの導電性を有する材料のなかでも、感光層から導電性基体への電荷の移動が良好であることから、アルミニウム及びアルミニウム合金が好ましい。
【００９８】
導電性基体の形状は、画像形成装置の構造に合わせて適宜選択される。導電性基体の形状としては、例えば、シート状及びドラム状が挙げられる。また、導電性基体の厚さは、導電性基体の形状に応じて適宜選択される。
【００９９】
（中間層）
中間層（下引き層）は、例えば、無機粒子及び中間層に用いられる樹脂（中間層用樹脂）を含有する。中間層が存在することにより、リーク発生を抑制し得る程度の絶縁状態を維持しつつ、感光体を露光した時に発生する電流の流れを円滑にして、抵抗の上昇を抑制できる。
【０１００】
無機粒子としては、例えば、金属（例えば、アルミニウム、鉄、及び銅）の粒子、金属酸化物（例えば、酸化チタン、アルミナ、酸化ジルコニウム、酸化スズ、及び酸化亜鉛）の粒子、及び非金属酸化物（例えば、シリカ）の粒子が挙げられる。これらの無機粒子は、１種を単独で用いてもよいし、２種以上を併用してもよい。
【０１０１】
中間層用樹脂の例は、上述したベース樹脂の例と同じである。中間層及び感光層を良好に形成するためには、中間層用樹脂は、感光層に含有されるベース樹脂及びバインダー樹脂と異なることが好ましい。中間層は、添加剤を含有してもよい。中間層に含有される添加剤の例は、感光層に含有される添加剤の例と同じである。
【０１０２】
（感光体の製造方法）
感光体の製造方法として、単層型感光体の製造方法の一例、及び積層型感光体の製造方法の一例を説明する。
【０１０３】
単層型感光体の製造方法は、単層型感光層形成工程を含む。単層型感光層形成工程では、単層型感光層を形成するための塗布液（以下、単層型感光層用塗布液と記載することがある）を調製する。単層型感光層用塗布液を導電性基体上に塗布する。次いで、塗布した感光層用塗布液に含有される溶剤の少なくとも一部を除去して単層型感光層を形成する。単層型感光層用塗布液は、例えば、電荷発生剤と、正孔輸送剤と、バインダー樹脂と、溶剤とを含有する。単層型感光層用塗布液は、電荷発生剤と、正孔輸送剤と、バインダー樹脂とを、溶剤に溶解又は分散させることにより調製される。単層型感光層用塗布液は、電子輸送剤を更に含有してもよい。単層型感光層用塗布液は、必要に応じて、添加剤を更に含有してもよい。
【０１０４】
積層型感光体の製造方法は、電荷発生層形成工程と電荷輸送層形成工程とを含む。電荷発生層形成工程では、まず、電荷発生層を形成するための塗布液（以下、電荷発生層用塗布液と記載することがある）を調製する。電荷発生層用塗布液を導電性基体上に塗布する。次いで、塗布した電荷発生層用塗布液に含有される溶剤の少なくとも一部を除去して電荷発生層を形成する。電荷発生層用塗布液は、例えば、電荷発生剤と、ベース樹脂と、溶剤とを含有する。このような電荷発生層用塗布液は、電荷発生剤及びベース樹脂を、溶剤に溶解又は分散させることにより調製される。電荷発生層用塗布液は、必要に応じて、添加剤を更に含有してもよい。
【０１０５】
電荷輸送層形成工程では、まず、電荷輸送層を形成するための塗布液（以下、電荷輸送層用塗布液と記載することがある）を調製する。電荷輸送層用塗布液を電荷発生層上に塗布する。次いで、塗布した電荷輸送層用塗布液に含有される溶剤の少なくとも一部を除去して電荷輸送層を形成する。電荷輸送層用塗布液は、正孔輸送剤と、バインダー樹脂と、溶剤とを含む。電荷輸送層用塗布液は、正孔輸送剤と、バインダー樹脂とを、溶剤に溶解又は分散させることにより調製できる。電荷輸送層用塗布液は、必要に応じて、添加剤を更に含有してもよい。
【０１０６】
単層型感光層用塗布液、電荷発生層用塗布液、及び電荷輸送層用塗布液（以下、これらを包括的に塗布液と記載することがある）に含有される溶剤は、塗布液に含有される各成分を溶解又は分散できる限り、特に限定されない。溶剤としては、例えば、アルコール（より具体的には、メタノール、エタノール、イソプロパノール、及びブタノール等）、脂肪族炭化水素（より具体的には、ｎ−ヘキサン、オクタン、及びシクロヘキサン等）、芳香族炭化水素（より具体的には、ベンゼン、トルエン、及びキシレン等）、ハロゲン化炭化水素（より具体的には、ジクロロメタン、ジクロロエタン、四塩化炭素、及びクロロベンゼン等）、エーテル（より具体的には、ジメチルエーテル、ジエチルエーテル、テトラヒドロフラン、エチレングリコールジメチルエーテル、及びジエチレングリコールジメチルエーテル等）、ケトン（より具体的には、アセトン、メチルエチルケトン、及びシクロヘキサノン等）、エステル（より具体的には、酢酸エチル、及び酢酸メチル等）、ジメチルホルムアルデヒド、ジメチルホルムアミド、及びジメチルスルホキシドが挙げられる。これらの溶剤は、１種を単独で用いてもよいし、２種以上を組み合わせて用いてもよい。
【０１０７】
電荷輸送層用塗布液に含有される溶剤は、電荷発生層用塗布液に含有される溶剤と、異なることが好ましい。電荷発生層上に電荷輸送層用塗布液を塗布する場合に、電荷発生層が電荷輸送層用塗布液の溶剤に溶解しないことが好ましいからである。
【０１０８】
塗布液は、それぞれ各成分を混合し、溶剤に分散することにより調製される。混合又は分散には、例えば、ビーズミル、ロールミル、ボールミル、アトライター、ペイントシェーカー、又は超音波分散器を用いることができる。
【０１０９】
塗布液を塗布する方法は、塗布液を均一に塗布できる方法であれば、特に限定されない。塗布方法としては、例えば、ディップコート法、スプレーコート法、スピンコート法、及びバーコート法が挙げられる。
【０１１０】
塗布液に含有される溶剤の少なくとも一部を除去する方法としては、例えば、加熱、減圧、又は加熱と減圧との併用が挙げられる。より具体的には、高温乾燥機、又は減圧乾燥機を用いて、熱処理（熱風乾燥）する方法が挙げられる。熱処理の温度は、例えば、４０℃以上１５０℃以下である。熱処理の時間は、例えば、３分以上１２０分以下である。
【０１１１】
なお、感光体の製造方法は、必要に応じて中間層を形成する工程を更に含んでいてもよい。中間層を形成する工程は、公知の方法を適宜選択することができる。
【０１１２】
＜画像形成装置＞
次に、本実施形態の感光体を備える、画像形成装置について説明する。以下、図７を参照しながら、タンデム方式のカラー画像形成装置を例に挙げて説明する。図７は、画像形成装置の一例を示す断面図である。
【０１１３】
図７に示す画像形成装置１１０は、画像形成ユニット４０ａ、４０ｂ、４０ｃ、及び４０ｄと、転写ベルト５０と、定着装置５２とを備える。以下、区別する必要がない場合には、画像形成ユニット４０ａ、４０ｂ、４０ｃ、及び４０ｄの各々を、画像形成ユニット４０と記載する。
【０１１４】
画像形成ユニット４０は、像担持体１００と、帯電装置４２と、露光装置４４と、現像装置４６と、転写装置４８と、クリーニング装置５４とを備える。像担持体１００は、本実施形態の感光体（より具体的には、単層型感光体１、又は積層型感光体１０）である。
【０１１５】
既に述べたように、本実施形態の感光体（より具体的には、単層型感光体１、又は積層型感光体１０）によれば、感光体の帯電安定性の向上及び感光層３の結晶化の抑制が可能となる。従って、像担持体１００としてこのような感光体を備えることで、画像形成装置１１０は、記録媒体Ｐに良好な画像を形成することができる。
【０１１６】
画像形成ユニット４０の中央位置に、像担持体１００が設けられる。像担持体１００は、矢符方向（反時計回り）に回転可能に設けられる。像担持体１００の周囲には、像担持体１００の回転方向の上流側から記載された順に、帯電装置４２と、露光装置４４と、現像装置４６と、転写装置４８と、クリーニング装置５４とが設けられる。
【０１１７】
画像形成ユニット４０ａ〜４０ｄの各々によって、転写ベルト５０上の記録媒体Ｐに、複数色（例えば、ブラック、シアン、マゼンタ、及びイエローの４色）のトナー像が順に重ねられる。
【０１１８】
帯電装置４２は、像担持体１００の表面（例えば、周面）を帯電させる。帯電装置４２は、例えば、スコロトロン帯電器である。
【０１１９】
露光装置４４は、帯電された像担持体１００の表面を露光する。これにより、像担持体１００の表面に静電潜像が形成される。静電潜像は、画像形成装置１１０に入力された画像データに基づいて形成される。
【０１２０】
現像装置４６は、像担持体１００の表面にトナーを供給し、静電潜像をトナー像として現像する。現像装置４６は、像担持体１００の表面と接触しながら静電潜像をトナー像として現像する。即ち、画像形成装置１１０は、接触現像方式を採用している。現像装置４６は、例えば、現像ローラーである。現像剤が一成分現像剤である場合、現像装置４６は、像担持体１００に形成された静電潜像に一成分現像剤であるトナーを供給する。現像剤が二成分現像剤である場合、現像装置４６は、像担持体１００に形成された静電潜像に、二成分現像剤に含有されるトナーとキャリアとのうち、トナーを供給する。このようにして、像担持体１００は、トナー像を担持する。
【０１２１】
転写ベルト５０は、像担持体１００と転写装置４８との間に記録媒体Ｐを搬送する。転写ベルト５０は、無端状のベルトである。転写ベルト５０は、矢符方向（時計回り）に回転可能に設けられる。
【０１２２】
転写装置４８は、現像装置４６によって現像されたトナー像を、像担持体１００の表面から、被転写体である記録媒体Ｐへ転写する。詳しくは、像担持体１００の表面と記録媒体Ｐとが接触した状態で、転写装置４８は、トナー像を像担持体１００の表面から記録媒体Ｐへ転写する。即ち、画像形成装置１１０は、直接転写方式を採用している。転写装置４８は、例えば、転写ローラーである。
【０１２３】
クリーニング装置５４は、像担持体１００の表面に付着しているトナーを回収する。クリーニング装置５４は、ハウジング５４１、及びクリーニングローラー５４２を備える。なお、クリーニング装置５４は、クリーニングブレードを備えていない。クリーニングローラー５４２は、ハウジング５４１内に配置される。クリーニングローラー５４２は、像担持体１００の表面に当接するように、配置される。クリーニングローラー５４２は、像担持体１００の表面を研磨して、像担持体１００の表面に付着しているトナーをハウジング５４１内に回収する。
【０１２４】
転写装置４８によってトナー像が転写された記録媒体Ｐは、転写ベルト５０によって、定着装置５２へ搬送される。定着装置５２は、例えば、加熱ローラー及び／又は加圧ローラーである。転写装置４８によって転写された未定着のトナー像が、定着装置５２によって、加熱及び／又は加圧される。トナー像が加熱及び／又は加圧されることにより、記録媒体Ｐにトナー像が定着する。その結果、記録媒体Ｐに画像が形成される。
【０１２５】
以上、画像形成装置の一例について説明したが、画像形成装置は、上述した画像形成装置１１０に限定されない。上述した画像形成装置１１０はカラー画像形成装置であったが、画像形成装置はモノクロ画像形成装置であってもよい。この場合、画像形成装置は、例えば画像形成ユニットを１つだけ備えていればよい。また、上述した画像形成装置１１０はタンデム方式を採用していたが、画像形成装置は例えばロータリー方式を採用してもよい。帯電装置４２としてスコロトロン帯電器を例に挙げて説明したが、帯電装置はスコロトロン帯電器以外の帯電装置（例えば、帯電ローラー、帯電ブラシ、又はコロトロン帯電器）であってもよい。上述した画像形成装置１１０は接触現像方式を採用していたが、画像形成装置は非接触現像方式を採用してもよい。上述した画像形成装置１１０は直接転写方式を採用していたが、画像形成装置は中間転写方式を採用してもよい。画像形成装置は中間転写方式を採用する場合、被転写体は、中間転写ベルトに相当する。上述したクリーニング装置５４はクリーニングローラー５４２を備えクリーニングブレードを備えていなかったが、クリーニングローラー５４２とクリーニングブレードとを備えるクリーニング装置であってもよい。なお、上述した画像形成ユニット４０は除電装置を備えていなかったが、画像形成ユニットは除電装置を更に備えていてもよい。
【０１２６】
＜プロセスカートリッジ＞
次に、図７を引き続き参照して、本実施形態の感光体（より具体的には、単層型感光体１、又は積層型感光体１０）を備えるプロセスカートリッジの一例について説明する。プロセスカートリッジは、画像形成ユニット４０ａ〜４０ｄの各々に相当する。プロセスカートリッジは、像担持体１００を備える。像担持体１００は、本実施形態の感光体（より具体的には、単層型感光体１、又は積層型感光体１０）である。プロセスカートリッジは、像担持体１００に加えて、帯電装置４２、及びクリーニング装置５４の少なくとも一方を更に備える。
【０１２７】
既に述べたように、本実施形態の感光体（より具体的には、単層型感光体１、又は積層型感光体１０）によれば、感光体の帯電安定性の向上及び感光層３の結晶化の抑制が可能となる。従って、像担持体１００としてこのような感光体を備えることで、プロセスカートリッジは、記録媒体Ｐに良好な画像を形成できる。
【０１２８】
プロセスカートリッジには、像担持体１００、帯電装置４２、及びクリーニング装置５４に加えて、露光装置４４、現像装置４６、及び転写装置４８のうちの少なくとも１つが更に備えられてもよい。プロセスカートリッジには、除電装置（不図示）が更に備えられてもよい。プロセスカートリッジは、画像形成装置１１０に対して着脱自在に設計される。そのため、プロセスカートリッジは取り扱いが容易であり、像担持体１００の感度特性等が劣化した場合に、像担持体１００を含めて容易かつ迅速に交換することができる。以上、図７を参照して、本実施形態の感光体を備えるプロセスカートリッジについて説明した。
【実施例】
【０１２９】
以下、実施例を用いて本発明を更に具体的に説明する。しかし、本発明は実施例の範囲に何ら限定されない。
【０１３０】
まず、単層型感光体の単層型感光層を形成するための材料として、以下の電荷発生剤、電子輸送剤、正孔輸送剤、及びバインダー樹脂を準備した。
【０１３１】
（電荷発生剤）
電荷発生剤として、実施形態で述べたＹ型チタニルフタロシアニンを準備した。
【０１３２】
（電子輸送剤）
電子輸送剤として、実施形態で述べた化合物（Ｅ−１）を準備した。
【０１３３】
（正孔輸送剤）
正孔輸送剤として、実施形態で述べた化合物（１−１）〜（１−３）を準備した。化合物（１−１）〜（１−３）の各々は、以下の方法で合成した。
【０１３４】
（化合物（１−１）の合成）
容量５００ｍＬの三口フラスコに、４，４’’−ジブロモ−ｐ−ターフェニル（１１．９８ｇ、３０．９ｍｍｏｌ）、酢酸パラジウム（ＩＩ）（０．０６９ｇ、０．３０７ｍｍｏｌ）、（４−ジメチルアミノフェニル）ジ−ｔｅｒｔブチルホスフィン（０．２０５ｇ、０．７７２ｍｍｏｌ）、及びナトリウムｔｅｒｔ−ブトキシド（７．７０２ｇ、８０．１５ｍｍｏｌ）を入れた。フラスコ内の脱気及び窒素ガス置換を２回繰り返すことにより、フラスコ内の空気を窒素ガスに置換した。次いで、フラスコ内に、（２，４−ジメチルフェニル）（４’−メチルフェニル）アミン（１３．８５ｇ、６３．３ｍｍｏｌ）及びキシレン（１００ｍＬ）を入れた。還流させながら、フラスコ内容物を１２０℃で３時間攪拌した。次いで、フラスコ内容物の温度を５０℃まで低下させた。フラスコ内容物を濾過して灰分を除去し、濾液を得た。濾液に活性白土（日本活性白土株式会社製「ＳＡ−１」、２４ｇ）を入れて、８０℃で１０分間攪拌して混合物を得た。次いで、混合物を濾過し、濾液を得た。濾液を減圧留去して、残渣を得た。残渣にトルエン２０ｇを加えて１００℃まで加熱した。加熱により、残渣をトルエンに溶解させて、溶液を得た。溶液がわずかに白濁するまで、溶液にｎ−ヘキサンを添加した。次いで、溶液を５℃まで冷却し、濾過により析出した結晶を取り出した。得られた結晶を乾燥させて、化合物（１−１）を得た。化合物（１−１）の収量は１８．２ｇであった。４，４’’−ジブロモ−ｐ−ターフェニルからの化合物（１−１）の収率は、９０．８モル％であった。
【０１３５】
（化合物（１−２）の合成）
６３．３ｍｍｏｌの（２，４−ジメチルフェニル）（４’−メチルフェニル）アミンを、６３．３ｍｍｏｌの（２−エチルフェニル）（４’−メチルフェニル）アミンに変更した以外は、化合物（１−１）の合成と同じ方法で、化合物（１−２）を得た。
【０１３６】
（化合物（１−３）の合成）
６３．３ｍｍｏｌの（２，４−ジメチルフェニル）（４’−メチルフェニル）アミンを、６３．３ｍｍｏｌの（４−エチルフェニル）（４’−メチルフェニル）アミンに変更した以外は、化合物（１−１）の合成と同じ方法で、化合物（１−３）を得た。
【０１３７】
プロトン核磁気共鳴分光計（日本分光株式会社製、３００ＭＨｚ）を用いて、合成した化合物（１−１）〜（１−３）の1Ｈ−ＮＭＲスペクトルを測定した。溶媒としてＣＤＣｌ3を用いた。内部標準試料としてテトラメチルシラン（ＴＭＳ）を用いた。化合物（１−１）〜（１−３）のうちの代表例として、化合物（１−１）の化学シフト値を以下に示す。化学シフト値から、化合物（１−１）が得られていることを確認した。化合物（１−２）及び（１−３）についても同じ方法で、化合物（１−２）及び（１−３）が得られていることを確認した。
【０１３８】
化合物（１−１）：1Ｈ−ＮＭＲ（３００ＭＨｚ，ＣＤＣｌ3）δ＝７．５７（ｓ，  ４Ｈ），  ７．４２−７．４５（ｍ，  ４Ｈ），  ７．０１−７．０７（ｍ，  １８Ｈ），  ２．３４（ｓ，  ６Ｈ），  ２．２９（ｓ，  ６Ｈ），  ２．０３（ｓ，  ６Ｈ）．
【０１３９】
次に、比較例で使用する正孔輸送剤として、下記化学式（Ｈ−４）〜（Ｈ−１４）で表される化合物（以下、それぞれを化合物（Ｈ−４）〜（Ｈ−１４）と記載することがある）を準備した。
【０１４０】
【化１７】
2020118704.tif 000020
【０１４１】
【化１８】
2020118704.tif 000021
【０１４２】
【化１９】
2020118704.tif 000022
【０１４３】
（バインダー樹脂）
バインダー樹脂として、実施形態で述べたポリカーボネート樹脂（Ｒ−１）及び（Ｒ−２）を準備した。ポリカーボネート樹脂（Ｒ−１）の粘度平均分子量は、３２５００であった。ポリカーボネート樹脂（Ｒ−２）の粘度平均分子量は、３３３００であった。
【０１４４】
また、比較例で使用する正孔輸送剤として、下記化学式（Ｒ−３）及び（Ｒ−４）で表されるポリカーボネート樹脂を準備した。ポリカーボネート樹脂（Ｒ−３）の粘度平均分子量は、３３０００であった。ポリカーボネート樹脂（Ｒ−４）の粘度平均分子量は、３２５００であった。化学式（Ｒ−３）及び（Ｒ−４）において、繰り返し単位の右下に付された数字は、ポリカーボネート樹脂が有する繰り返し単位の総数に対する、該当する繰り返し単位の数の比率（単位：％）を示す。
【０１４５】
【化２０】
2020118704.tif 000023
【０１４６】
＜単層型感光体の製造＞
上述した電荷発生剤、正孔輸送剤、バインダー樹脂、及び電子輸送剤を用いて、単層型感光体（Ａ−１）〜（Ａ−４）及び（Ｂ−１）〜（Ｂ−１３）を製造した。
【０１４７】
（単層型感光体（Ａ−１）の製造）
電荷発生剤であるＹ型チタニルフタロシアニン３質量部、正孔輸送剤である化合物（１−１）７０質量部、バインダー樹脂であるポリカーボネート樹脂（Ｒ−１）１００質量部、電子輸送剤である化合物（Ｅ−１）３０質量部、及び溶剤であるテトラヒドロフラン８００質量部を、ボールミルを用いて５０時間混合し、単層型感光層用塗布液を得た。ディップコート法により、導電性基体（アルミニウム製のドラム状支持体）上に、単層型感光層用塗布液を塗布した。塗布した単層型感光層用塗布液を、１２０℃で６０分間熱風乾燥させた。このようにして、導電性基体上に単層型感光層（膜厚２８μｍ）を形成し、単層型感光体（Ａ−１）を得た。単層型感光体（Ａ−１）において、導電性基体上に単層型感光層が備えられていた。
【０１４８】
（単層型感光体（Ａ−２）〜（Ａ−４）及び（Ｂ−１）〜（Ｂ−１３）の製造）
表２に示す種類の正孔輸送剤及びバインダー樹脂を使用したこと以外は、単層型感光体（Ａ−１）の製造と同じ方法で、単層型感光体（Ａ−２）〜（Ａ−４）及び（Ｂ−１）〜（Ｂ−１３）の各々を製造した。
【０１４９】
＜単層型感光体の感度特性の評価＞
単層型感光体（Ａ−１）〜（Ａ−４）及び（Ｂ−１）〜（Ｂ−１３）の各々に対して、温度１０℃及び相対湿度１５％ＲＨの環境下で、感度特性を評価した。詳しくは、ドラム感度試験機（ジェンテック株式会社製）を用いて、単層型感光体の表面を＋７５０Ｖに帯電させた。次いで、単色光（波長：７８０ｎｍ、露光量：０．７μＪ／ｃｍ2）をハロゲンランプの光からバンドパスフィルターを用いて取り出し、単層型感光体の表面に照射した。単色光の照射終了から７０ミリ秒が経過した時点の単層型感光体の表面電位を測定した。測定した表面電位を、単層型感光体の露光後電位ＶL（単位：＋Ｖ）とした。単層型感光体の露光後電位ＶLを、表２に示す。露光後電位ＶLの絶対値が小さいほど、単層型感光体の感度特性が優れていることを示す。
【０１５０】
＜単層型感光体の帯電安定性の評価＞
単層型感光体（Ａ−１）〜（Ａ−４）及び（Ｂ−１）〜（Ｂ−１３）の各々に対して、温度１０℃及び相対湿度１５％ＲＨの環境下で、帯電安定性を評価した。帯電安定性の評価には、評価機（京セラドキュメントソリューションズ株式会社製「ＦＳ−Ｃ５２５０ＤＮ」の改造機）を使用した。評価機は、スコロトロン帯電器及びクリーニングローラーを備え、クリーニングブレードを備えていなかった。評価機は、現像ローラーを備えた接触現像方式、及び直接転写方式を採用していた。露光−現像間時間を、７０ミリ秒に設定した。
【０１５１】
まず、評価機を用いて、３枚の記録媒体（Ａ４サイズ用紙）に、画像Ａ（全面白紙画像）を印刷した。各用紙に印刷する際に、現像ローラーと対向する位置（現像位置）において、単層型感光体の表面電位を測定した。なお、白紙画像を印刷する際には露光が行われないため、測定された表面電位は、帯電電位に相当する。１枚の用紙の印刷につき１回、合計３回、表面電位を測定した。測定された３回の表面電位の平均値を、印字試験前の帯電電位Ｖ01（単位：＋Ｖ）とした。
【０１５２】
次いで、印字試験を行った。印字試験は、評価機を用いて、１０，０００枚の記録媒体（Ａ４サイズ用紙）に、１５秒間隔で、画像Ｂ（印字率５％の印字パターン画像）を印刷する試験であった。印字試験の直後に、３枚の記録媒体（Ａ４サイズ用紙）に、画像Ａ（全面白紙画像）を印刷した。各用紙に印刷する際に、現像位置において、単層型感光体の表面電位を測定した。１枚の用紙の印刷につき１回、合計３回、表面電位を測定した。測定された３回の表面電位の平均値を、印字試験後の帯電電位Ｖ02（単位：＋Ｖ）とした。
【０１５３】
印字試験前の帯電電位Ｖ01から印字試験後の帯電電位Ｖ02を引いた値（Ｖ01−Ｖ02）を、帯電電位低下量ΔＶ0（単位：Ｖ）とした。帯電電位低下量ΔＶ0を、表２に示す。帯電電位低下量ΔＶ0（単位：Ｖ）が小さいほど、単層型感光体の帯電安定性が優れていることを示す。
【０１５４】
＜単層型感光体の結晶化抑制の評価＞
単層型感光体（Ａ−１）〜（Ａ−４）及び（Ｂ−１）〜（Ｂ−１３）の各々の表面（感光層）全域を、肉眼で観察した。そして、感光層における結晶化した部分の有無を確認した。確認結果に基づき、下記評価基準で結晶化が抑制されているか否かを評価した。評価結果を表２に示す。なお、評価がＣである単層型感光体を、感光層の結晶化が抑制されていないと評価した。
【０１５５】
（結晶化抑制の評価基準）
評価Ａ：結晶化した部分が確認されなかった。
評価Ｂ：結晶化した部分が若干確認された。
評価Ｃ：結晶化した部分が明確に確認された。
【０１５６】
表２中、ＨＴＭ、樹脂、ＥＴＭ、ＶL、及びΔＶ0は、各々、正孔輸送剤、バインダー樹脂、電子輸送剤、露光後電位、及び帯電電位低下量を示す。
【０１５７】
【表２】
2020118704.tif 000024
【０１５８】
表２に示すように、単層型感光体（Ａ−１）〜（Ａ−４）の単層型感光層は、正孔輸送剤として、化合物（１）（具体的には、化合物（１−１）〜（１−３）の何れか）を含有していた。単層型感光体（Ａ−１）〜（Ａ−４）の単層型感光層は、バインダー樹脂として、繰り返し単位（２０）と繰り返し単位（２１）とを有するポリカーボネート樹脂（ＰＣ）（具体的には、ポリカーボネート樹脂（Ｒ−１）及び（Ｒ−２）の何れか）を含有していた。単層型感光体（Ａ−１）〜（Ａ−４）の帯電電位低下量ΔＶ0は１４Ｖ以下であった。また、単層型感光体（Ａ−１）〜（Ａ−４）の結晶化抑制の評価は、Ａ又はＢであった。よって、単層型感光体（Ａ−１）〜（Ａ−４）は、帯電安定性の向上及び感光層の結晶化の抑制の両方を達成できていた。また、単層型感光体（Ａ−１）〜（Ａ−４）の露光後電位ＶLは＋１００Ｖ以上＋１０８Ｖ以下であり、単層型感光体（Ａ−１）〜（Ａ−４）は感度特性を損なうことなく、帯電安定性の向上及び感光層の結晶化の抑制の両方を達成できていた。
【０１５９】
以上のことから、本発明に係る感光体は、帯電安定性の向上及び感光層の結晶化の抑制の両方を達成できることが示された。本発明に係る感光体は帯電安定性の向上及び感光層の結晶化の抑制の両方を達成できるため、本発明に係る感光体を備えるプロセスカートリッジ及び画像形成装置は、良好な画像を形成することができる。
【産業上の利用可能性】
【０１６０】
本発明に係る感光体及びプロセスカートリッジは、画像形成装置に利用できる。本発明に係る画像形成装置は、記録媒体に画像を形成するために利用できる。
【符号の説明】
【０１６１】
１        ：単層型電子写真感光体
２        ：導電性基体
３        ：感光層
１０      ：積層型電子写真感光体
４２      ：帯電装置
４４      ：露光装置
４６      ：現像装置
４８      ：転写装置
１００    ：像担持体
１１０    ：画像形成装置
５４２    ：クリーニングローラー
Ｐ        ：記録媒体
【図１】
2020118704.tif 000032
【図２】
2020118704.tif 000033
【図３】
2020118704.tif 000034
【図４】
2020118704.tif 000035
【図５】
2020118704.tif 000036
【図６】
2020118704.tif 000037
【図７】
2020118704.tif 000038